(57)【特許請求の範囲】
【請求項１】
来訪者が居住者を呼び出して通話するための玄関子機と、前記玄関子機からの呼び出しに居住者が応答するための居室親機と、を備えたインターホン装置であって、
前記玄関子機は、前記来訪者の操作により前記居室親機を呼び出すための呼出操作部を有し、
前記居室親機は、前記呼出操作部の操作に基づき呼出を報知する呼出報知部と、前記呼出に対して前記居住者が応答するための応答操作部と、前記応答操作部による応答操作が可能な呼出応答時間を設定し、前記呼出応答時間内に前記応答操作がない場合に前記呼出の報知を終了する呼出制御部と、前記居住者が前記呼出の報知に対して実際に前記応答操作部による前記応答操作を行った実応答時間を計測する応答タイマと、を有し、
前記呼出制御部は、前記応答タイマによる計時に基づき前記呼出応答時間を現在設定時間よりも長い時間に変更する、インターホン装置。
【請求項２】
集合住宅の集合玄関に設置され来訪者が居住者を呼び出して通話するための集合玄関機と、前記集合住宅の個々の住戸に設置されて前記集合玄関機からの呼び出しに応答するための居室親機と、前記集合玄関機および前記居室親機をそれぞれ制御する制御機と、を備えたインターホン装置であって、
前記集合玄関機は、前記来訪者の操作により前記居室親機を呼び出すための呼出操作部を有し、
前記居室親機は、前記呼出操作部の操作に基づき呼出を報知する呼出報知部と、前記呼出に対して前記居住者が応答するための応答操作部と、を有し、
前記居室親機または前記制御機は、前記応答操作部による応答操作が可能な呼出応答時間を設定し、前記呼出応答時間内に前記応答操作がない場合に前記呼出の報知を終了する呼出制御部と、前記居住者が前記呼出の報知に対して実際に前記応答操作部による前記応答操作を行った実応答時間を計測する応答タイマと、を有し、
前記呼出制御部は、前記応答タイマによる計時に基づき前記呼出応答時間を現在設定時間よりも長い時間に変更する、インターホン装置。
【請求項３】
前記呼出制御部は、所定の呼出回数ごとに前記実応答時間の平均値を算出し、前記平均値が前記呼出応答時間に対して徐々に近づいていると判断した場合は、前記呼出応答時間を前記現在設定時間よりも長い時間に変更する、請求項１または２に記載のインターホン装置。
【請求項４】
前記呼出制御部は、前記呼出応答時間内に前記応答操作がない場合の回数を非応答回数としてカウントし、前記非応答回数が所定の回数を超えた場合は、前記呼出応答時間を前記現在設定時間よりも長い時間に変更する、請求項１から３のいずれか一項に記載のインターホン装置。
【請求項５】
前記呼出制御部は、所定の呼出回数ごとに前記実応答時間の平均値を算出し、前記平均値が前記呼出応答時間に対して徐々に近づいていると判断した場合は、前記呼出応答時間を前記現在設定時間よりも長い第１の時間に変更するとともに、前記呼出応答時間内に前記応答操作がない場合の回数を非応答回数としてカウントし、前記非応答回数が所定の回数を超えた場合は、前記呼出応答時間を前記現在設定時間および前記第１の時間よりも長い第２の時間に変更する、請求項１または２に記載のインターホン装置。
【請求項６】
前記居室親機は、前記居住者が外出する時に前記インターホン装置を待機状態から防犯状態に移行させるための外出操作が行われる外出操作部をさらに備え、
前記呼出制御部は、前記外出操作により前記インターホン装置が前記防犯状態にあるときは前記呼出応答時間内に前記応答操作がない場合を前記非応答回数としてカウントしない、請求項４または５に記載のインターホン装置。
【請求項７】
前記呼出制御部は、前記呼出応答時間内に前記応答操作がない場合の回数を非応答回数としてカウントし、前記非応答回数が連続して所定回数を超えた場合には、前記玄関子機に対して異常状態を通知し、
前記玄関子機は、前記呼出制御部からの前記異常状態の通知に応じて外部へ通報を行う通報部をさらに備えている、請求項１に記載のインターホン装置。
【請求項８】
前記呼出制御部は、前記呼出応答時間内に前記応答操作がない場合の回数を非応答回数としてカウントし、前記非応答回数が連続して所定回数を超えた場合には、前記集合玄関機に対して異常状態を通知し、
前記集合玄関機は、前記呼出制御部からの前記異常状態の通知に応じて外部へ通報を行う通報部をさらに備えている、請求項２に記載のインターホン装置。
【発明の詳細な説明】
【技術分野】
【０００１】
本発明は、インターホン装置に関する。
【背景技術】
【０００２】
玄関子機に来訪者を撮像するためのカメラを設けるとともに、居室親機にカメラが撮像した映像を表示するモニタを設けて、居住者が呼び出しに応答する際、来訪者をモニタで確認できるインターホン装置が普及している（特許文献１参照）。このようなインターホン装置では、来訪者による玄関子機の操作により呼出時間をカウントし、例えば４５秒と上限値が設定され、呼出開始から４５秒経っても居住者が応答しない場合には、カウントを終了して居室親機が呼び出しを終了して待受け状態に移行させる制御を行なっている。
【先行技術文献】
【特許文献】
【０００３】
【特許文献１】特開２０１２−２０９８６４号公報
【発明の概要】
【発明が解決しようとする課題】
【０００４】
上記特許文献１に開示のインターホン装置において、例えば、高齢者や障害者などが居住者である場合は、呼出開始から呼出終了までの設定時間（呼出応答時間）である４５秒以内に応答することができない場合が考えうる。
【０００５】
そこで、本発明は、居住者の状況に応じて適切な呼出応答時間を設定可能なインターホン装置を提供することを目的とする。
【課題を解決するための手段】
【０００６】
本発明にかかるインターホン装置は、
来訪者が居住者を呼び出して通話するための玄関子機と、前記玄関子機からの呼び出しに居住者が応答するための居室親機と、を備えたインターホン装置であって、
前記玄関子機は、前記来訪者の操作により前記居室親機を呼び出すための呼出操作部を有し、
前記居室親機は、前記呼出操作部の操作に基づき呼出を報知する呼出報知部と、前記呼出に対して前記居住者が応答するための応答操作部と、前記応答操作部による応答操作が可能な呼出応答時間を設定し、前記呼出応答時間内に前記応答操作がない場合に前記呼出の報知を終了する呼出制御部と、前記居住者が前記呼出の報知に対して実際に前記応答操作部による前記応答操作を行った実応答時間を計測する応答タイマと、を有し、
前記呼出制御部は、前記応答タイマによる計時に基づき前記呼出応答時間を可変制御する。
【０００７】
この構成によれば、呼出の報知に対して実際に居住者が応答する時間に基づき呼出応答時間を可変制御することにより、居住者の状況に応じて適切な呼出応答時間を設定することができ、居住者の利便性を向上させることができる。
【０００８】
また、本発明にかかるインターホン装置は、
集合住宅の集合玄関に設置され来訪者が居住者を呼び出して通話するための集合玄関機と、前記集合住宅の個々の住戸に設置されて前記集合玄関機からの呼び出しに応答するための居室親機と、前記集合玄関機および前記居室親機をそれぞれ制御する制御機と、を備えたインターホン装置であって、
前記集合玄関機は、前記来訪者の操作により前記居室親機を呼び出すための呼出操作部を有し、
前記居室親機は、前記呼出操作部の操作に基づき呼出を報知する呼出報知部と、前記呼出に対して前記居住者が応答するための応答操作部と、を有し、
前記居室親機または前記制御機は、前記応答操作部による応答操作が可能な呼出応答時間を設定し、前記呼出応答時間内に前記応答操作がない場合に前記呼出の報知を終了する呼出制御部と、前記居住者が前記呼出の報知に対して実際に前記応答操作部による前記応答操作を行った実応答時間を計測する応答タイマと、を有し、
前記呼出制御部は、前記応答タイマによる計時に基づき前記呼出応答時間を可変制御する。
【０００９】
この構成によれば、集合住宅インターホンシステムに用いられるインターホン装置においても、集合玄関機からの呼出の報知に対して実際に居住者が応答する時間に基づき呼出応答時間を可変制御することにより、居住者の状況に応じて適切な呼出応答時間を設定することができ、居住者の利便性を向上させることができる。
【００１０】
また、本発明のインターホン装置において、
前記呼出制御部は、所定の呼出回数ごとに前記実応答時間の平均値を算出し、前記平均値が前記呼出応答時間に対して徐々に近づいていると判断した場合は、前記呼出応答時間を現在設定時間よりも長い時間に変更することが好ましい。
【００１１】
この構成によれば、現在設定時間に対する実応答時間の接近（すなわち、実応答時間の遅延）が生じている場合に、呼出応答時間を延長して居住者の応答操作が間に合うように容易に設定することができる。
【００１２】
また、本発明のインターホン装置において、
前記呼出制御部は、前記呼出応答時間内に前記応答操作がない場合の回数を非応答回数としてカウントし、前記非応答回数が所定の回数を超えた場合は、前記呼出応答時間を現在設定時間よりも長い時間に変更することが好ましい。
【００１３】
この構成によれば、現在設定時間内に応答することができない場合に呼出応答時間を延長することで、居住者の利便性を高めることができる。
【００１４】
また、本発明のインターホン装置において、
前記呼出制御部は、所定の呼出回数ごとに前記実応答時間の平均値を算出し、前記平均値が前記呼出応答時間に対して徐々に近づいていると判断した場合は、前記呼出応答時間を現在設定時間よりも長い第１の時間に変更するとともに、前記呼出応答時間内に前記応答操作がない場合の回数を非応答回数としてカウントし、前記非応答回数が所定の回数を超えた場合は、前記呼出応答時間を前記現在設定時間および前記第１の時間よりも長い第２の時間に変更することが好ましい。
【００１５】
この構成によれば、呼出応答時間を延長する際に複数の延長時間を設定可能とすることで、各戸の状況に応じて適切な呼出応答時間を設定することができる。
【００１６】
また、本発明のインターホン装置において、
前記居室親機は、前記居住者が外出する時に前記インターホン装置を待機状態から防犯状態に移行させるための外出操作が行われる外出操作部をさらに備え
前記呼出制御部は、前記外出操作により前記インターホン装置が前記防犯状態にあるときは前記呼出応答時間内に前記応答操作がない場合を前記非応答回数としてカウントしないことが好ましい。
【００１７】
この構成によれば、居住者が外出していて呼出応答ができなかった場合を非応答回数としてカウントしないことで、居住者の状況による呼出応答時間の可変制御を適切に行うことができる。
【００１８】
また、本発明のインターホン装置において、
前記呼出制御部は、前記非応答回数が連続して所定回数を超えた場合には、前記玄関子機または前記集合玄関機に対して異常状態を通知し、
前記玄関子機または前記集合玄関機は、前記呼出制御部からの前記異常状態の通知に応じて外部へ通報を行う通報部をさらに備えていることが好ましい。
【００１９】
この構成によれば、非応答回数の連続した増加により居住者に何らかの異常が発生している可能性があることを玄関子機または前記集合玄関機を通じて居宅外部へ通報することができる。
【発明の効果】
【００２０】
本発明によれば、居住者の状況に応じて適切な呼出応答時間を設定可能なインターホン装置を提供することができる。
【図面の簡単な説明】
【００２１】
【図１】（ａ）は、本発明の実施形態を示すインターホン装置の概略構成図であり、（ｂ）は、（ａ）に示すインターホン装置のブロック図である。
【図２】図１のインターホン装置の動作パターンを示すフローチャートである。
【図３】本発明の変形例に係る集合住宅インターホンシステムの概略構成図である。
【図４】図３に示す変形例に係る集合住宅インターホンシステムの概略ブロック図である。
【図５】図４の呼出タイマテーブルの具体例を示す表である。
【発明を実施するための形態】
【００２２】
以下、本発明に係るインターホン装置の実施の形態の例を、図面を参照して説明する。
【００２３】
図１（ａ）に示すように、本実施形態に係るインターホン装置１は、玄関子機１０と、居室親機２０とを備えている。インターホン装置１の玄関子機１０および居室親機２０は、一戸建てなどの住戸に設置される。玄関子機１０は、在宅中の居住者を呼び出す際に、来訪者が所定の呼出操作を行うためのものであり、玄関の外壁面等に設けられている。また、居室親機２０は、玄関子機１０からの呼出に居住者が応答するためのものであり、室内の壁面等に設けられている。
【００２４】
図１（ｂ）に示すように、玄関子機１０は、玄関子機マイク１１、玄関子機スピーカ１２（通報部の一例）、通話回路１３、呼出ボタン１４（呼出操作部の一例）、カメラ１５、映像処理部１６、玄関子機ＣＰＵ１７、および玄関子機通信インターフェース１８を備えている。
【００２５】
玄関子機マイク１１および玄関子機スピーカ１２は、来訪者が居住者との間で通話をする際に、音声を入出力するためのものである。なお、玄関子機スピーカ１２は、後述する居室親機２０に設けられた居室親機ＣＰＵ２８からの異常状態の通知に応じて外部へ異常発生の通報を行う通報部としても機能する。呼出ボタン１４は、来訪者が居住者を呼び出すための呼出操作を行う際に来訪者によって操作される。カメラ１５は、呼出操作を行う来訪者を撮影するためのものである。
【００２６】
玄関子機マイク１１および玄関子機スピーカ１２は、通話回路１３を介して玄関子機ＣＰＵ１７に接続されている。また、呼出ボタン１４も玄関子機ＣＰＵ１７に接続されている。さらに、カメラ１５は、映像処理部１６を介して玄関子機ＣＰＵ１７に接続されている。玄関子機ＣＰＵ１７には、玄関子機マイク１１からの音声信号、カメラ１５からの映像信号が送信される。また、呼出ボタン１４が押下されることで呼出ボタン１４から入力信号が玄関子機ＣＰＵ１７に送信される。また、玄関子機ＣＰＵ１７は、玄関子機スピーカ１２へ音声信号を出力する。玄関子機ＣＰＵ１７には、玄関子機通信インターフェース１８が接続されている。玄関子機ＣＰＵ１７は、玄関子機通信インターフェース１８を介して居室親機２０との間で信号の送受信を行う。
【００２７】
また、図１（ｂ）に示すように、居室親機２０は、居室親機マイク２１、居室親機スピーカ２２（呼出報知部の一例）、通話回路２３、応答ボタン２４（応答操作部の一例）、外出ボタン２５（外出操作部の一例）、モニタ２６、映像処理部２７、居室親機ＣＰＵ２８（呼出制御部の一例）、および居室親機通信インターフェース２９を備えている。
【００２８】
居室親機マイク２１および居室親機スピーカ２２は、居住者が来訪者との間で通話をする際に、音声を入出力するためのものである。居室親機スピーカ２２は、来訪者の呼出ボタン１４の操作に基づいて呼出を報知する呼出報知部として機能する。応答ボタン２４および外出ボタン２５は、居住者によって操作される。応答ボタン２４は、玄関子機１０からの呼出へ応対するための居住者の応対操作を受け付ける応答操作部として機能する。例えば、居住者が応答ボタン２４を押すことで、玄関子機１０からの呼出に応対すべく玄関子機１０と居室親機２０との間に通話路が形成され、来訪者と居住者の間での通話を可能とし、玄関扉を開放する解除操作が行われる。さらに、居住者が外出前に外出ボタン２５を押すことで、居室親機２０は待機状態から防犯状態へと移行する。モニタ２６は、玄関子機１０のカメラ１５で撮影された来訪者の映像を表示するためのものである。
【００２９】
居室親機マイク２１および居室親機スピーカ２２は、通話回路２３を介して、居室親機ＣＰＵ２８に接続されている。また、応答ボタン２４および外出ボタン２５も居室親機ＣＰＵ２８に接続されている。さらに、モニタ２６は、映像処理部２７を介して居室親機ＣＰＵ２８に接続されている。居室親機ＣＰＵ２８には、居室親機マイク２１からの音声信号が送信される。また、応答ボタン２４や外出ボタン２５が操作されることで応答ボタン２４および外出ボタン２５から入力信号が居室親機ＣＰＵ２８に送信される。また、居室親機ＣＰＵ２８は、居室親機スピーカ２２へ音声信号を出力し、モニタ２６へ映像信号を出力する。居室親機ＣＰＵ２８には、居室親機通信インターフェース２９が接続されている。居室親機ＣＰＵ２８は、居室親機通信インターフェース２９を介して玄関子機１０との間で信号の送受信を行う。
【００３０】
居室親機２０は、さらに、呼出タイマ３０、通話タイマ３１、および応答タイマ３２を備えている。呼出タイマ３０は、玄関子機１０の呼出ボタン１４による呼出操作を起点として、応答ボタン２４による応答操作が可能な時間として居室親機ＣＰＵ２８により設定された所定の呼出応答時間（例えば４５秒）をカウントする。通話タイマ３１は、居室親機２０の応答ボタン２４による応答操作を起点として、玄関子機１０と居室親機２０との間の通話が可能な時間として居室親機ＣＰＵ２８により設定された所定の通話路形成時間（例えば９０秒）をカウントする。応答タイマ３２は、居住者が呼出の報知に対して実際に応答ボタン２４による応答操作を行った実応答時間を計測する。すなわち、実応答時間とは、来訪者による呼出ボタン１４の押下から居住者による応答ボタン２４の押下までの間の時間である。
【００３１】
居室親機ＣＰＵ２８は、呼出タイマ３０によりカウントされた呼出応答時間内に応答操作がない場合に、呼出の報知を終了する。居室親機ＣＰＵ２８は、通話タイマ３１によりカウントされた通話路形成時間が終了すると通話路を遮断する。居室親機ＣＰＵ２８は、応答タイマ３２によりカウントされた実応答時間に基づき、呼出応答時間の設定を可変するよう制御する。また、居室親機ＣＰＵ２８は、呼出応答時間内に応答ボタン２４の応答操作がなかった場合の呼出回数を非応答回数としてカウントするように構成される。なお、居室親機ＣＰＵ２８は、外出ボタン２５の操作により居室親機２０が待機状態から防犯状態に移行されているときには、呼出応答時間内に応答操作がない場合を非応答回数としてカウントしない。また、居室親機ＣＰＵ２８は、非応答回数が連続して所定回数を超えた場合には、玄関子機２０に対して異常状態を通知する。居室親機ＣＰＵ２８からの異常状態の通知に応じて、例えば玄関子機スピーカ１２により音声情報として外部へ通報が行われる。
【００３２】
次に、上記構成のインターホン装置１における動作パターンの一例について、図２を参照して説明する。
【００３３】
通常、玄関子機１０および居室親機２０は待機状態にある。最初に、初期設定として、居室親機ＣＰＵ２６は応答ボタン２４による応答操作が可能な呼出応答時間（例えば、４５秒）を設定する（図２のステップＳ１）。次に、来訪者が呼出ボタン１４を操作する（ステップＳ２）と、玄関子機ＣＰＵ１７は玄関子機通信インターフェース１８を介して入力信号を居室親機２０へ送信する。そして、居室親機ＣＰＵ２８は、居室親機通信インターフェース２９を介して玄関子機１０からの入力信号を受信し、居室親機スピーカ２２から呼出を報知する（ステップＳ３）。すなわち、玄関子機１０および居室親機２０は呼出状態に移行する。このとき、居室親機ＣＰＵ２８は、モニタ２６にカメラ１５で撮影された来訪者の映像を表示させる。
【００３４】
次に、居室親機ＣＰＵ２８は、居室親機スピーカ２２による呼出を起点として呼出タイマ３０による呼出応答時間のカウントを開始し、呼出応答時間内に応答ボタン２４による応答操作があったか否かを判断する（ステップＳ４）。呼出応答時間内に応答ボタン２４による応答操作があったと判断された場合には（ステップＳ４のＹｅｓ）、居室親機ＣＰＵ２８は、居室親機通信インターフェース２９を介して玄関子機１０と通信し、玄関子機１０と居室親機２０との間で通話路を形成する。すなわち、玄関子機１０および居室親機２０は来訪者と居住者との通話が可能な通話状態に移行する（ステップＳ５）。その後、居住者による終話操作あるいは通話タイマ３１による通話路形成時間（例えば９０秒）のカウントが終了すると、居室親機ＣＰＵ２８は通話路を遮断する（ステップＳ６）。そして、玄関子機１０および居室親機２０は待機状態に移行する（ステップＳ７）。
【００３５】
また、呼出応答時間内に応答ボタン２４による応答操作があったと判断された場合には（ステップＳ４のＹｅｓ）、居室親機ＣＰＵ２８は、応答タイマ３２により、居住者が呼出の報知に対して実際に応答ボタン２４による応答操作を行うまでの実応答時間をカウントする（ステップＳ８）。そして、居室親機ＣＰＵ２８は、カウントした実応答時間について所定回数ごとに平均値を算出する（ステップＳ９）。具体的には、例えば呼出回数１０回ごとに実応答時間の平均値を算出する。
【００３６】
次に、居室親機ＣＰＵ２８は、実応答時間の平均値が呼出応答時間に徐々に近づいているか否かを判断する（ステップＳ１０）。実応答時間の平均値が呼出応答時間に近づいていないと判断された場合には（ステップＳ１０のＮｏ）、玄関子機１０および居室親機２０は、待機状態に移行する（ステップＳ７）。一方、実応答時間の平均値が呼出応答時間に徐々に近づいていると判断された場合には（ステップＳ１０のＹｅｓ）、居室親機ＣＰＵ２８は、呼出応答時間を延長する（ステップＳ１１）。例えば、実応答時間の平均値が呼出応答時間の設定値である４５秒に近づいている、すなわち、４０秒程度に延びていると判断された場合には、呼出応答時間を例えば６０秒に延長する。その後、玄関子機１０および居室親機２０は待機状態に移行する（ステップＳ７）。
【００３７】
ステップＳ４において、居室親機スピーカ２２による呼出の開始から呼出応答時間内に応答ボタン２４による応答操作がなかったと判断された場合には（ステップＳ４のＮｏ）、居室親機ＣＰＵ２８は呼出の報知を終了する（ステップＳ１２）。そして、居室親機ＣＰＵ２８は、外出ボタン２５の操作により居室親機２０が待機状態から防犯状態に移行されているか否かを判断する（ステップＳ１３）。居室親機２０が防犯状態に移行されていると判断された場合には（ステップＳ１３のＹｅｓ）、居室親機ＣＰＵ２８は、今回の呼出を非応答回数としてはカウントせず、防犯状態が維持される（ステップＳ１４）。その後、防犯状態が解除されると（ステップＳ１５）、玄関子機１０および居室親機２０は待機状態に移行する（ステップＳ７）。
【００３８】
一方、居室親機２０が防犯状態に移行されていないと判断された場合には（ステップＳ１３のＮｏ）、居室親機ＣＰＵ２８は、今回の呼出を非応答回数としてカウントする（ステップＳ１６）。次に、居室親機ＣＰＵ２８は、非応答回数が所定回数内であるか否かを判断する（ステップＳ１７）。非応答回数が所定回数内であると判断された場合には（ステップＳ１７のＹｅｓ）、玄関子機１０および居室親機２０は待機状態に移行する（ステップＳ７）。一方、非応答回数が所定回数を超えたと判断された場合には（ステップＳ１７のＮｏ）、居室親機ＣＰＵ２８は、呼出応答時間を例えば７５秒に延長する（ステップＳ１８）。なお、居住者の応答時間に余裕を持たせるため、ステップＳ１８において延長される呼出応答時間（第２の時間の一例、例えば７５秒）は、ステップＳ１１で延長される呼出応答時間（第１の時間の一例、例えば６０秒）よりも長くすることが好ましい。
【００３９】
次に、居室親機ＣＰＵ２８は、非応答回数が連続して所定回数を超えたか否かを判断する（ステップＳ１９）。非応答回数が連続して所定回数を超えていない場合は（ステップＳ１９のＮｏ）、玄関子機１０および居室親機２０は待機状態に移行する（ステップＳ７）。一方、非応答回数が連続して所定回数を超えた場合には（ステップＳ１９のＹｅｓ）、居室親機ＣＰＵ２８は、居住者に何らかの異常が発生している可能性があると判断し、異常状態である旨の情報を、居室親機通信インターフェース２９を介して玄関子機ＣＰＵ１７へ通知する。そして、玄関子機ＣＰＵ１７は、居住者の異常情報を例えば音声情報として玄関子機スピーカ１２により外部へ通報する（ステップＳ２０）。その後、玄関子機１０および居室親機２０は待機状態に移行する（ステップＳ７）。
以上により、本実施形態のインターホン装置１の動作パターンが終了する。
【００４０】
以上、説明したように、本実施形態に係るインターホン装置１によれば、玄関子機１０は、来訪者の操作により居室親機２０を呼び出すための呼出ボタン１４を有し、居室親機２０は、呼出ボタン１４の操作に基づき呼出を報知する居室親機スピーカ２２と、呼出に対して居住者が応答するための応答ボタン２４と、応答ボタン２４による応答操作が可能な呼出応答時間を設定し呼出応答時間内に応答操作がない場合に呼出の報知を終了する居室親機ＣＰＵ２８と、居住者が呼出の報知に対して実際に応答ボタン２４による応答操作を行った実応答時間を計測する応答タイマ３２と、を有している。そして、居室親機ＣＰＵ２８は、応答タイマ３２による計時に基づき呼出応答時間を可変制御するように構成されている。このように、呼出の報知に対して実際に居住者が応答する時間に基づいて呼出応答時間を可変制御することにより、居住者の状況に応じて適切な呼出応答時間を設定することができ、利便性の高いインターホン装置１を提供することができる。
【００４１】
また、本実施形態において、居室親機ＣＰＵ２８は、所定の呼出回数ごとに実応答時間の平均値を算出し、この平均値が呼出応答時間に対して徐々に近づいていると判断した場合は、呼出応答時間を現在設定されている時間（例えば、４５秒）よりも長い時間（例えば、６０秒）に変更する。これにより、現在設定されている呼出応答時間に対する実応答時間の接近（すなわち、実応答時間の遅延）が生じている場合に、呼出応答時間を延長して居住者の応答操作が間に合うように容易に設定することができる。
【００４２】
また、本実施形態において、居室親機ＣＰＵ２８は、呼出応答時間内に応答操作がない場合の回数を非応答回数としてカウントし、非応答回数が所定の回数を超えた場合は、呼出応答時間を現在設定されている時間（例えば、４５秒）よりも長い時間（例えば、７５秒）に変更する。これにより、現在設定されている呼出応答時間内に応答することができない場合に、呼出応答時間を延長して居住者の利便性を高めることができる。
【００４３】
また、本実施形態において、居室親機ＣＰＵ２８は、実応答時間の平均値が呼出応答時間に対して徐々に近づいていると判断した場合に延長する第１の呼出応答時間（例えば、６０秒）よりも、非応答回数が所定の回数を超えた場合に延長する第２の呼出応答時間を長くする（例えば、７５秒）ことが好ましい。このように、呼出応答時間を延長する際に複数の時間を設定可能とすることで、各戸の状況に応じて適切な呼出応答時間を設定することができる。
【００４４】
また、本実施形態において、居室親機２０は、居住者が外出する時にインターホン装置１を待機状態から防犯状態に移行させるための外出操作が行われる外出ボタン２５をさらに備え、居室親機ＣＰＵ２８は、外出ボタン２５の操作によりインターホン装置１が防犯状態にあるときは呼出応答時間内に応答操作がない場合を非応答回数としてカウントしないようにしている。このように、居住者が外出していて呼出応答ができなかった場合を非応答回数としてカウントしないようにすることで、居住者の状況による呼出応答時間の可変制御を適切に行うことができる。
【００４５】
また、本実施形態において、居室親機ＣＰＵ２８は、非応答回数が連続して所定回数を超えた場合には、玄関子機１０に対して異常状態を通知し、玄関子機１０は、居室親機ＣＰＵ２８からの異常状態の通知に応じて玄関子機スピーカ１２等により外部へ通報を行うように構成されている。非応答回数の連続的な増加により居住者に何らかの異常が発生している可能性があることを、例えば玄関子機スピーカ１２を通じて居宅外部へ通報することができる。
【００４６】
（変形例）
次に、図３〜図５を参照して変形例に係る集合住宅用インターホン装置１００の一例を説明する。
図３に示すように、集光住宅インターホンシステムに用いられる集合住宅用インターホン装置１００は、来訪者が居住者を呼び出して通話を行うためにエントランスに設置された集合玄関機１１０と、集合玄関機１１０からの呼び出しに居住者が応答するために個々の住戸に設置された居室親機１２０と、集合玄関機１１０と居室親機１２０との間の通信を制御する制御機１３０とを備えている。集合玄関機１１０および居室親機１２０は、それぞれ信号線により制御機１３０に接続されている。
【００４７】
図４に示すように、集合玄関機１１０は、集合玄関機マイク１１１、集合玄関機スピーカ１１２（通報部の一例）、通話回路１１３、呼出ボタン１１４（呼出操作部の一例）、カメラ１１５、映像処理部１１６、集合玄関機ＣＰＵ１１７、および集合玄関機通信インターフェース１１８を備えている。集合玄関機１１０は、さらに、来訪者が訪問先の部屋番号等を入力するテンキー等から成る操作部１１９ａと、来訪者が呼出を取り消すための取消ボタン１１９ｂとを備えている。
【００４８】
集合玄関機マイク１１１および集合玄関機スピーカ１１２は、通話回路１１３を介して集合玄関機ＣＰＵ１１７に接続されている。また、呼出ボタン１１４、操作部１１９ａおよび取消ボタン１１９ｂも集合玄関機ＣＰＵ１１７に接続されている。さらに、カメラ１１５は、映像処理部１１６を介して集合玄関機ＣＰＵ１１７に接続されている。集合玄関機ＣＰＵ１１７には、集合玄関機マイク１１１からの音声信号、カメラ１１５からの映像信号が送信される。また、呼出ボタン１１４、操作部１１９ａおよび取消ボタン１１９ｂが押下されることで呼出ボタン１１４、操作部１１９ａおよび取消ボタン１１９ｂから入力信号が集合玄関機ＣＰＵ１１７に送信される。また、集合玄関機ＣＰＵ１１７は、集合玄関機スピーカ１１２へ音声信号を出力する。集合玄関機ＣＰＵ１１７には、集合玄関機通信インターフェース１１８が接続されている。集合玄関機ＣＰＵ１１７は、集合玄関機通信インターフェース１１８を介して制御機１３０との間で信号の送受信を行う。
【００４９】
居室親機１２０は、居室親機マイク１２１、居室親機スピーカ１２２（呼出報知部の一例）、通話回路１２３、応答ボタン１２４（応答操作部の一例）、外出ボタン１２５（外出操作部の一例）、モニタ１２６、映像処理部１２７、居室親機ＣＰＵ１２８、および居室親機通信インターフェース１２９を備えている。
【００５０】
居室親機マイク１２１および居室親機スピーカ１２２は、通話回路１２３を介して、居室親機ＣＰＵ１２８に接続されている。また、応答ボタン１２４および外出ボタン１２５も居室親機ＣＰＵ１２８に接続されている。さらに、モニタ１２６は、映像処理部１２７を介して居室親機ＣＰＵ１２８に接続されている。居室親機ＣＰＵ１２８には、居室親機マイク１２１からの音声信号が送信される。また、応答ボタン１２４や外出ボタン１２５が操作されることで応答ボタン１２４および外出ボタン１２５から入力信号が居室親機ＣＰＵ１２８に送信される。また、居室親機ＣＰＵ１２８は、居室親機スピーカ１２２へ音声信号を出力し、モニタ１２６へ映像信号を出力する。居室親機ＣＰＵ１２８には、居室親機通信インターフェース１２９が接続されている。居室親機ＣＰＵ１２８は、居室親機通信インターフェース１２９を介して制御機１３０との間で信号の送受信を行う。
【００５１】
制御機１３０は、制御機ＣＰＵ１３１（呼出制御部の一例）、第一制御機通信インターフェース１３２、第二制御機通信インターフェース１３３、呼出タイマ１３４、通話タイマ１３５、応答タイマ１３６、および呼出タイマテーブル１３７を備えている。
【００５２】
制御機ＣＰＵ１３１は、接続機器間（集合玄関機１１０と各居室親機１２０との間）の通話路および映像路の形成／遮断、接続機器間の通信の制御、および制御機１３０の各回路の制御を行うものである。第一制御機通信インターフェース１３２は、集合玄関機１１０と通信するためのインターフェースであり、第二制御機通信インターフェース１３３は、居室親機１２０と通信するためのインターフェースである。呼出タイマ１３４は、集合玄関機１１０の呼出ボタン１１４による呼出操作を起点として、居室親機１２０の応答ボタン１２４による応答操作が可能な時間として制御機ＣＰＵ１３１により設定された所定の呼出応答時間（例えば４５秒）をカウントする。通話タイマ１３５は、居室親機１２０の応答ボタン１２４による応答操作を起点として、集合玄関機１１０と居室親機１２０との間の通話が可能な時間として制御機ＣＰＵ１３１により設定された所定の通話路形成時間（例えば９０秒）をカウントする。応答タイマ１３６は、居住者が呼出の報知に対して実際に応答ボタン１２４による応答操作を行った実応答時間を計測する。
【００５３】
呼出タイマテーブル１３７は、居室ごとに呼出タイマ１３４によりカウントされる呼出応答時間を記憶しているものである。図５に示すように、呼出タイマテーブル１３７は、居室ごとに居住者の状況に応じて異なる呼出応答時間を記憶している。例えば、１０１号室〜１０６号室では、呼出応答時間の初期値である４５秒が記憶（設定）されているが、１０７号室では初期値よりも長い６０秒が記憶されている。呼出応答時間としては、例えば４５秒、６０秒、７５秒、９０秒の４段階の設定が可能である。
【００５４】
制御機ＣＰＵ１３１は、居室ごとに呼出タイマテーブル１３７に記憶された呼出応答時間（例えば、４５秒〜９０秒）を呼出タイマ１３４によりカウントさせ、呼出タイマ１３４によりカウントされた呼出応答時間内に居室親機１２０の応答ボタン１２４による応答操作がない場合に、呼出の報知を終了する。また、制御機ＣＰＵ１３１は、通話タイマ１３５によりカウントされた通話路形成時間（例えば、９０秒）が終了すると通話路を遮断する。さらに、制御機ＣＰＵ１３１は、応答タイマ１３６によりカウントされた実応答時間に基づき、呼出応答時間の設定を可変するよう制御する。
【００５５】
なお、居室親機１２０が設置される居宅の廊下やリビング等には人感センサ１４０が設置されている。人感センサ１４０は、居住者等の人物の移動を検知するものである。人感センサ１４０は居室親機ＣＰＵ１２８に接続されている。
【００５６】
以下、変形例に係る集合住宅用インターホン装置１００における動作パターンの一例について、上記実施形態と同様に図２を参照して説明する。
【００５７】
通常、集合玄関機１１０、居室親機１２０、および制御機１３０は待機状態にある。最初に、初期設定として、制御機ＣＰＵ１３１は、呼出タイマテーブル１３７に基づいて居室親機１２０の応答ボタン１２４による応答操作が可能な呼出応答時間（例えば、４５秒）を設定する（図２のステップＳ１）。集合玄関機１１０および居室親機１２０が待機状態にあるときに来訪者が呼出ボタン１１４を操作する（ステップＳ２）と、集合玄関機ＣＰＵ１１７は集合玄関機通信インターフェース１１８を介して入力信号を制御機１３０へ送信する。制御機ＣＰＵ１３１は、第一制御機通信インターフェース１３２を介して集合玄関機１１０からの入力信号を受信し、当該入力信号を第二制御機通信インターフェース１３３を介して居室親機へ送信する。居室親機ＣＰＵ１２８は、居室親機通信インターフェース１２９を介して受信した入力信号に基づき、居室親機スピーカ１２２から呼出を報知する（ステップＳ３）。このとき、居室親機ＣＰＵ１２８は、モニタ１２６にカメラ１１５で撮影された来訪者の映像を表示させる。
【００５８】
次に、制御機ＣＰＵ１３１は、居室親機スピーカ１２２による呼出を起点として呼出タイマ１３４による呼出応答時間のカウントを開始し、呼出応答時間内に居室親機１２０の応答ボタン１２４による応答操作があったか否かを判断する（ステップＳ４）。呼出応答時間内に応答ボタン１２４による応答操作があったと判断された場合には（ステップＳ４のＹｅｓ）、制御機ＣＰＵ１３１は、第一制御機通信インターフェース１３２および第二制御機通信インターフェース１３３を介して、集合玄関機１１０と居室親機１２０との間の通話路を形成し、集合玄関機１１０、居室親機１２０、および制御機１３０は来訪者と居住者との通話が可能な通話状態に移行される（ステップＳ５）。その後、居住者による終話操作あるいは通話タイマ１３５による通話路形成時間のカウントが終了すると、制御機ＣＰＵ１３１は通話路を遮断する（ステップＳ６）。そして、集合玄関機１１０、居室親機１２０、および制御機１３０は待機状態に移行する（ステップＳ７）。
【００５９】
また、呼出応答時間内に応答ボタン１２４による応答操作があったと判断された場合には（ステップＳ４のＹｅｓ）、制御機ＣＰＵ１３１は、応答タイマ１３６により、居住者が呼出の報知に対して実際に応答ボタン１２４による応答操作を行った実応答時間をカウントする（ステップＳ８）。そして、制御機ＣＰＵ１３１は、カウントした実応答時間について所定回数ごとに平均値を算出する（ステップＳ９）。
【００６０】
次に、制御機ＣＰＵ１３１は、実応答時間の平均値が呼出応答時間に徐々に近づいているか否かを判断する（ステップＳ１０）。実応答時間の平均値が呼出応答時間に近づいていないと判断された場合には（ステップＳ１０のＮｏ）、集合玄関機１１０、居室親機１２０、および制御機１３０は待機状態に移行する（ステップＳ７）。一方、実応答時間の平均値が呼出応答時間に徐々に近づいていると判断された場合には（ステップＳ１０のＹｅｓ）、制御機ＣＰＵ１３１は、呼出応答時間を例えば６０秒に延長する（ステップＳ１１）。その後、集合玄関機１１０、居室親機１２０、および制御機１３０は待機状態に移行する（ステップＳ７）。
【００６１】
ステップＳ４において、居室親機スピーカ１２２による呼出の開始から呼出応答時間内に応答ボタン１２４による応答操作がなかったと判断された場合には（ステップＳ４のＮｏ）、制御機ＣＰＵ１３１は居室親機ＣＰＵ１２８に対して呼出の報知を終了させる（ステップＳ１２）。そして、制御機ＣＰＵ１３１は、居室親機１２０の外出ボタン１２５の操作により居室親機１２０が待機状態から防犯状態に移行されているかどうかを判断する（ステップＳ１３）。居室親機１２０が防犯状態に移行されていると判断された場合には（ステップＳ１３のＹｅｓ）、制御機ＣＰＵ１３１は今回の呼出を非応答回数としてはカウントせず、防犯状態が維持される（ステップＳ１４）。その後、防犯状態が解除されると（ステップＳ１５）、集合玄関機１１０、居室親機１２０、および制御機１３０は待機状態に移行する（ステップＳ７）。
【００６２】
一方、居室親機１２０が防犯状態に移行されていないと判断された場合には（ステップＳ１３のＮｏ）、制御機ＣＰＵ１３１は、今回の呼出を非応答回数としてカウントする（ステップＳ１６）。次に、制御機ＣＰＵ１３１は、非応答回数が所定回数内であるか否かを判断する（ステップＳ１７）。非応答回数が所定回数内であると判断された場合には（ステップＳ１７のＹｅｓ）、集合玄関機１１０、居室親機１２０、および制御機１３０は待機状態に移行する（ステップＳ７）。一方、非応答回数が所定回数を超えたと判断された場合には（ステップＳ１７のＮｏ）、制御機ＣＰＵ１３１は、呼出応答時間を例えば７５秒に延長する（ステップＳ１８）。
【００６３】
次に、制御機ＣＰＵ１３１は、非応答回数が連続して所定回数を超えたか否かを判断する（ステップＳ１９）。具体的には、非応答の連続回数が例えば５回を超えたか否かを判断する。非応答回数が連続して所定回数を超えていない場合は（ステップＳ１９のＮｏ）、集合玄関機１１０、居室親機１２０、および制御機１３０は待機状態に移行する（ステップＳ７）。一方、非応答回数が連続して所定回数を超えた場合には（ステップＳ１９のＹｅｓ）、制御機ＣＰＵ１３１は、居住者に何らかの異常が発生している可能性があると判断し、異常状態である旨の情報を第一制御機通信インターフェース１３２および集合玄関機通信インターフェース１１８を介して集合玄関機ＣＰＵ１１７へ通知する。そして、集合玄関機ＣＰＵ１１７は、居住者の異常情報を例えば音声情報として集合玄関機スピーカ１１２により外部へ通報する（ステップＳ２０）。その後、集合玄関機１１０、居室親機１２０、および制御機１３０は待機状態に移行する（ステップＳ７）。
以上により、本変形例の集合住宅用インターホン装置１００の動作パターンが終了する。
【００６４】
なお、人物の移動を感知して人感センサ１４０が感知動作した場合には、人感センサ１４０からの感知信号が制御機ＣＰＵ１３１に送信される。そのため、図２のステップＳ１９において、非応答回数が連続して所定回数を超えた場合であっても、制御機ＣＰＵ１３１が人感センサ１４０からの感知信号を受信している場合には、異常状態とは判断せずに、外部への通報を行うことなく、集合玄関機１１０、居室親機１２０、および制御機１３０が待機状態に移行される構成としても良い。
【００６５】
ところで、特に集合住宅においては来訪者が多いため、初期設定として集合玄関機の呼出状態の時間を長くする、すなわち呼出応答時間の初期値を必要以上に長くしてしまうと、別の来訪者が続いて来訪したときに前の来訪者の呼出による呼出状態が続いており、すぐには呼出ボタンの操作をできない場合が考え得る。また、集合住宅用インターホン装置１００においては、呼出状態が終了し待機状態に移行すると、居室親機１２０のモニタ１２６に集合玄関機１１０のカメラ１１５で撮像した映像を表示させることができない。そのため、呼出応答時間を固定としてしまうと呼出応答時間の終了後に来訪者が誰であったかを確認することができないという不都合が生じる。
【００６６】
これに対して、変形例に係る集合住宅用インターホン装置１００においては、制御機１３０は、集合玄関機１１０の呼出ボタン１１４の操作に基づき居室親機１２０の応答ボタン１２４による応答操作が可能な呼出応答時間を設定し、呼出応答時間内に応答操作がない場合に呼出の報知を終了する制御機ＣＰＵ１３１と、居住者が呼出の報知に対して実際に応答ボタン１２４による応答操作を行った実応答時間を計測する応答タイマ１３６と、を有している。そして、制御機ＣＰＵ１３１は、応答タイマ１３６による計時に基づき呼出応答時間を可変制御するよう構成されている。この構成によれば、集合住宅用インターホン装置１００においても集合玄関機１１０からの呼出の報知に対して実際に居住者が応答する時間に基づき呼出応答時間を可変制御することにより、居住者の状況に応じて適切な呼出応答時間を設定することができる。そのため、通常設定においては呼出応答時間を必要以上に長くすることなく、必要に応じて呼出応答時間を延長させることで、来訪者の利便性の維持と居住者の利便性の向上とを両立させることができる。
【００６７】
なお、変形例においては、集合玄関機１１０と居室親機１２０の間の通信を制御する制御機１３０が、呼出タイマ１３４、通話タイマ１３５、応答タイマ１３６、および呼出タイマテーブル１３７を備えているが、居室親機１２０がこれらの機能を備えた構成としても良い。
【００６８】
以上、本発明を詳細にまた特定の実施態様を参照して説明したが、本発明の精神と範囲を逸脱することなく様々な変更や修正を加えることができることは当業者にとって明らかである。
【００６９】
なお、居室親機ＣＰＵ２８または制御機ＣＰＵ１３１から異常状態が玄関子機１０または集合玄関機１１０に通知される場合には、玄関子機スピーカ１２または集合玄関機スピーカ１１２から音声情報を通報するだけではなく、玄関子機１０または集合玄関機１１０の報知ランプ（不図示）を点灯させる構成としても良い。また、居室親機ＣＰＵ２８あるいは制御機ＣＰＵ１３１は、玄関子機１０または集合玄関機１１０から異常情報を通報するとともに、電話回線あるいはネットワーク回線を通じて、設定された外部通知先（セキュリティ会社や居住者家族のメールアドレス）へ異常情報を通知する構成としても良い。
【符号の説明】
【００７０】
１：インターホン装置、１０：玄関子機、１２：玄関子機スピーカ（通報部の一例）、１４：呼出ボタン（呼出操作部の一例）、１５：カメラ、１７：玄関子機ＣＰＵ、１８：玄関子機通信インターフェース、２０，１２０：居室親機、２２，１２２：居室親機スピーカ、２４，１２４：応答ボタン（応答操作部の一例）、２５，１２５：外出ボタン（外出操作部の一例）、２６，１２６：モニタ、２８，１２８：居室親機ＣＰＵ（呼出制御部の一例）、２９，１２９：居室親機通信インターフェース、３０，１３４：呼出タイマ、３１，１３５：通話タイマ、３２，１３６：応答タイマ、１００：集合住宅用インターホン装置、１１０：集合玄関機、１１２：集合玄関機スピーカ（通報部の一例）、１１４：呼出ボタン（呼出操作部の一例）、１１５：カメラ、１１７：集合玄関機ＣＰＵ、１１８：集合玄関機通信インターフェース、１３０：制御機、１３１：制御機ＣＰＵ（呼出制御部の一例）、１３２：第一制御機通信インターフェース、１３３：第二制御機通信インターフェース、１３７：呼出タイマテーブル、１４０：人感センサ
【図１】
0006468964.tif 000002
【図２】
0006468964.tif 000003
【図３】
0006468964.tif 000004
【図４】
0006468964.tif 000005
【図５】
0006468964.tif 000006